(57)【要約】【課題】災害発生時において、広範囲にわたって捜索活動を迅速に行い、黄金の７２時間内に遭難者を発見する遭難者発見装置を提供する。【解決手段】無線周波数増幅装置２０および無線受信機４０を含む。無線周波数増幅装置２０は、回路板３０を設け、回路板３０の後側に電源スイッチ３１および電池３４を有し、回路板３０の前側に起動表示ランプ３２および無線電波発生器３３を有する。無線受信機４０は、スイッチ４１、信号表示ランプ４２およびブザー４３を設けている。【選択図】図２
0003169354.tif 000002
【実用新案登録請求の範囲】
【請求項１】
回路板を設け、前記回路板の後側に電源スイッチおよび電池を有し、前記回路板の前側に起動表示ランプおよび無線電波発生器を有する無線周波数増幅装置と、
スイッチ、信号表示ランプおよびブザーを設けている無線受信機と、を含むことを特徴とする遭難者発見装置。
【請求項２】
前記無線電波発生器は、長波が３０〜３００ＫＨｚの無線信号に設定することを特徴とする請求項１に記載の遭難者発見装置。
【請求項３】
前記無線電波発生器は、極超短波が３００ＭＨｚ〜３ＧＨｚの無線信号に設定することを特徴とする請求項１に記載の遭難者発見装置。
【請求項４】
前記無線電波発生器は、長時間持続的または断続的に無線信号を送信することを特徴とする請求項１に記載の遭難者発見装置。
【請求項５】
前記無線受信機が起動すると、前記無線周波数増幅装置が送信する無線信号を受信し、前記信号表示ランプが点灯することを特徴とする請求項１に記載の遭難者発見装置。
【請求項６】
前記無線受信機は、ディスプレイを設けていることを特徴とする請求項１に記載の遭難者発見装置。
【請求項７】
前記無線受信機は、前記信号表示ランプに、音の強弱がある前記ブザーを組み合わせることにより、遭難者との距離を判断することを特徴とする請求項１に記載の遭難者発見装置。
【請求項８】
前記無線受信機は、前記ディスプレイを設け、複数の無線周波数増幅装置が送信した無線信号の数量を表示することを特徴とする請求項６に記載の遭難者発見装置。
【考案の詳細な説明】
【技術分野】
【０００１】
本考案は、遭難者発見装置に関し、特に、広範囲にわたって捜索活動を迅速に行い、黄金の７２時間内に遭難者を発見する遭難者発見装置に関する。
【背景技術】
【０００２】
大災害発生時において、被災地が広範囲にわたるため、遭難者の捜索も広範囲に及び、電波探知機を用いて人体の発生する超低周波電波の磁場により生存者の捜索が行なわれる。電波探知機は、コストが高いため、捜索隊員一人一人が装備することができないため、黄金の７２時間が経過してしまうことがあり、遺憾に感じられることが多かった。本考案は、従来の電波探知機の短所を解決するものである。
【先行技術文献】
【特許文献】
【０００３】
【特許文献１】実開平６−７０７５０号公報
【考案の概要】
【考案が解決しようとする課題】
【０００４】
本考案の課題は、上述した従来の電波探知機の短所に鑑みてなされたもので、災害発生時において、広範囲にわたって捜索活動を迅速に行い、所定の短時間内、すなわち黄金の７２時間内に遭難者を発見する遭難者発見装置を提供することにある。
【課題を解決するための手段】
【０００５】
上述の課題を解決するために、本考案は、遭難者発見装置を提供する。本考案の遭難者発見装置は、無線周波数増幅装置および無線受信機を含む。無線周波数増幅装置は、回路板を設け、回路板の後側に電源スイッチおよび電池を有し、回路板の前側に起動表示ランプおよび無線電波発生器を有する。無線受信機は、スイッチ、信号表示ランプおよびブザーを設けている。
【０００６】
すなわち、請求項１の考案は、回路板を設け、前記回路板の後側に電源スイッチおよび電池を有し、前記回路板の前側に起動表示ランプおよび無線電波発生器を有する無線周波数増幅装置と、スイッチ、信号表示ランプおよびブザーを設けている無線受信機と、を含むことを特徴とする遭難者発見装置である。
【０００７】
請求項２の考案は、請求項１に記載の遭難者発見装置において、前記無線電波発生器は、長波が３０〜３００ＫＨｚの無線信号に設定することを特徴とする。
請求項３の考案は、請求項１に記載の遭難者発見装置において、前記無線電波発生器は、極超短波が３００ＭＨｚ〜３ＧＨｚの無線信号に設定することを特徴とする。
請求項４の考案は、請求項１に記載の遭難者発見装置において、前記無線電波発生器は、長時間持続的または断続的に無線信号を送信することを特徴とする。
請求項５の考案は、請求項１に記載の遭難者発見装置において、前記無線受信機が起動すると、前記無線周波数増幅装置が送信する無線信号を受信し、前記信号表示ランプが点灯することを特徴とする。
【０００８】
請求項６の考案は、請求項１に記載の遭難者発見装置において、前記無線受信機は、ディスプレイを設けていることを特徴とする。
請求項７の考案は、請求項１に記載の遭難者発見装置において、前記無線受信機は、前記信号表示ランプに、音の強弱がある前記ブザーを組み合わせることにより、遭難者との距離を判断することを特徴とする。
請求項８の考案は、請求項６に記載の遭難者発見装置において、前記無線受信機は、前記ディスプレイを設け、複数の無線周波数増幅装置が送信した無線信号の数量を表示することを特徴とする。
【考案の効果】
【０００９】
本考案の遭難者発見装置は、波探知機のようなコストが高い機器を用いる必要がなく、低コストで供給することができる。また、遭難者が携帯している無線受信機が、無線周波数増幅装置の送信する無線信号を受信し、信号表示ランプの点灯およびブザーの強弱により遭難者との距離を判断することができる。さらにディスプレイを設けて、複数の無線周波数増幅装置の無線信号を受信し、無線周波数増幅装置の数量を表示することにより、迅速に捜索隊の人数を増加するなどの処置をとり、所定の短時間内、すなわち黄金の７２時間内に遭難者を発見することができる。
【図面の簡単な説明】
【００１０】
【図１】本考案の第１の実施形態による遭難者発見装置の無線周波数増幅装置を示す平面図である。
【図２】本考案の第１の実施形態による遭難者発見装置の無線信号の送信および受信状態を示す平面図である。
【図３】本考案の第２の実施形態による遭難者発見装置の無線受信機を示す平面図である。
【図４】本考案の第１の実施形態による遭難者発見装置の無線周波数増幅装置が地震避難バッグに装着された状態を示す平面図である。
【図５】本考案の第１の実施形態による遭難者発見装置の無線周波数増幅装置がＩＤカードに装着された状態を示す平面図である。
【考案を実施するための形態】
【００１１】
以下、本考案の実施形態を図面に基づいて説明する。
図１、２、４および５を参照する。図１は、本考案の第１の実施形態による遭難者発見装置の無線周波数増幅装置を示す平面図である。図２は、本考案の第１の実施形態による遭難者発見装置の無線信号の送信および受信状態を示す平面図である。図４は、本考案の第２の実施形態による遭難者発見装置の無線周波数増幅装置が地震避難バッグに装着された状態を示す平面図である。図５は、本考案の第１の実施形態による遭難者発見装置の無線周波数増幅装置がＩＤカードに装着された状態を示す平面図である。
図１、２、４および５に示すように、本考案の遭難者発見装置は、無線周波数増幅装置２０および無線受信機４０を含む。
【００１２】
無線周波数増幅装置２０は、地震避難バッグ５０（図４参照）または携帯品に装着することができる。携帯品は、キーホルダー、ベルトのバックル、ブレスレット、携帯電話、ストラップ、ＩＤカード６０（図５参照）、懐中電灯などで、避難者が緊急に非難する際に、携帯に便利なものである。万一、遭難した場合は、捜索隊員が無線周波数増幅信号の受信できる範囲であれば、無線受信機４０が無線周波数増幅装置２０の発生した無線信号を受信してブザー４３の強弱で遭難者と捜索隊員との距離を知らせる。
【００１３】
無線周波数増幅装置２０は、内部に回路板３０を設け、回路板３０の後側に電源スイッチ３１および電池３４を有し、回路板３０の前側に起動表示ランプ３２および無線電波発生器３３を有する。無線受信機４０は、スイッチ４１、信号表示ランプ４２およびブザー４３を設けている。遭難者が電源スイッチ３１を入れると、無線周波数増幅装置２０の起動表示ランプ３２が点灯し起動したことを知らせ、電池３４が同時に無線電波発生器３３に無線信号を長時間持続的または断続的に送信させる。
捜索隊員が無線受信機４０を起動させると、遭難者が携帯している無線周波数増幅装置２０が送信する無線信号を受信し、信号表示ランプ４２の点灯およびブザー４３の強弱により遭難者との距離を判断することができる。
【００１４】
無線電波発生器３３が発生する無線信号が用いる周波数は、国際電気通信連合が割り当てた無線周波数帯の周波数を使用することができるが、無線の電波妨害、透過性および使用距離を考慮して実験を行なったところ、長波の３０〜３００ＫＨｚまたは極超短波の３００ＭＨｚ〜３ＧＨｚが最も好適であることがわかった。
【００１５】
図３を参照する。図３は、本考案の第２の実施形態による遭難者発見装置の無線受信機を示す平面図である。図３に示すように、無線受信機４０は、ディスプレイ４４を設けてもよい。複数の無線周波数増幅装置２０の無線信号を受信して無線周波数増幅装置２０の数量を表示することにより、迅速に捜索隊の人数を増加するなどの処置をとることができる。
【００１６】
無線周波数増幅装置２０の無線電波発生器３３は、長波または極超短波の無線信号を発信するように設定する、無線受信機４０は、それに対応して長波または極超短波の無線信号を受信するように設定する。
【００１７】
本考案では好適な実施形態を前述の通りに開示したが、本考案の特徴を損なうものでなければ、本考案を限定するものではないことは勿論であり、当該技術を熟知する者は誰でも、本考案の精神と領域を脱しない範囲内で各種の変更や修正を加えることができる。
【符号の説明】
【００１８】
２０  無線周波数増幅装置
３０  回路板
３１  電源スイッチ
３２  起動表示ランプ
３３  無線電波発生器
３４  電池
４０  無線受信機
４１  スイッチ
４２  信号表示ランプ
４３  ブザー
４４  ディスプレイ
５０  地震避難バッグ
６０  ＩＤカード
【図１】
0003169354.tif 000003
【図２】
0003169354.tif 000004
【図３】
0003169354.tif 000005
【図４】
0003169354.tif 000006
【図５】
0003169354.tif 000007